(57)【要約】【課題】時計機能を備えた加熱機器の待機電力を省電力化すること。【解決手段】加熱室２と、ドア３と、加熱源４と、加熱源４を制御する主制御回路９と、補助制御回路１０と、電源１３とを備え、主制御回路９は、ドア３の開閉操作により、電源１３より電力が供給され、主制御回路９が動作すると補助制御回路１０で計測された情報に基づき、予め設定された報知を行うとともに、所定時間の間、動作が遷移しない場合は、主制御回路９への電力の供給を停止することにより、待機時には、時間の計測を行う補助制御回路１０以外のマイコンを含む回路系への電力供給を削減できるので、より省電力な調理器にすることができる。【選択図】図３
2006112692.tif 000002
【特許請求の範囲】
【請求項１】
加熱室と、前記加熱室に設けられた開閉ドアと、加熱源と、前記加熱源を制御する主制御回路と、補助制御回路と、前記主制御回路と前記補助制御回路の電源と、前記電源の前記主制御回路への供給を制御する電源制御部とを備え、前記開閉ドアの開閉操作により、前記電源制御部は前記主制御回路への電力供給を行い、前記主制御回路が動作すると前記補助制御回路で計測された情報に基づき、予め設定された報知を行うとともに、所定時間の間、動作が遷移しない場合は、前記主制御回路への電力の供給を停止することを特徴とする加熱調理器。
【請求項２】
報知は、加熱調理器本体に備わる表示パネルへの表示により行うことを特徴とした請求項１記載の加熱調理器。
【請求項３】
報知は、加熱調理器本体に備わる音声発生手段からの音声により行うことを特徴とした請求項１記載の加熱調理器。
【請求項４】
補助制御回路には時刻を計時し記憶する機能をもたせた請求項１〜３のいずれか１項に記載の加熱調理器。
【請求項５】
補助制御回路は、タイマーを備え、前記タイマーが前記主制御回路により設定された時間をカウントし終えると前記補助制御回路は、前記主制御回路への電力の供給を開始させる信号を電源制御部に出力することを特徴とした請求項１〜４のいずれか１項に記載の加熱調理器。
【請求項６】
主制御回路は、メモリーを備え、前記メモリーには、前記主制御回路より設定情報が記憶され、前記主制御回路は、電力が供給されると前記メモリーに記憶された設定情報を実行するとを特徴とした請求項１〜５のいずれか１項に記載の加熱調理器。
【発明の詳細な説明】
【技術分野】
【０００１】
本発明は電子レンジ等の高周波加熱装置で、特に待機時の消費電力を少なくした加熱調理器に関するものである。
【背景技術】
【０００２】
マイクロコンピュータ（以下、マイコンと省略する。）を備えた制御回路で制御される高周波加熱装置は、従来装置では加熱調理を行なっていない時でも、キー入力の検出や時計動作等のために、常に制御回路に電力が供給されていた。しかし一日の使用時間が大変短い装置にあってその制御回路に常に電力を供給し続けるのは、たとえ消費される電力が１Ｗといった小さいものであっても、長い時間に亘れば膨大なエネルギーロスとなった。
【０００３】
そこで最近、電子レンジ等の家電機器において待機電力を少なくしようという要求が出てきている。そのための具体的な回路として、商用電源とその電源回路との間にドアスイッチを介設して、ドアの開成でドアスイッチがＯＮ動作し、ドアの閉成でＯＦＦ動作し自己保持する高周波加熱装置がある（例えば、特許文献１参照）。
【０００４】
特許文献１記載の高周波加熱装置は、ドアが閉まっているときは、負荷を商用電源に接続し、制御回路への電力の供給は遮断しているが、ドアを開けると負荷と商用電源の接続を切り離し、制御回路へ電力を供給し、制御回路へ電力を供給すると制御回路の動作に必要な直流電流が作られるというものである。
【０００５】
そこで、食品を加熱室に入れるためにドアを開けると、制御回路の電源回路に電力が供給され、マイコンは一定のタイマ時間を設定する。そしてドアが閉められた後タイマ時間の減算を開始し、その間にキー入力信号またはドアスイッチ回路からのドア開閉信号が入力されない場合、残り時間がゼロになった時点で制御回路への電力の供給を遮断するようにしている。なお、残り時間がゼロになる前にキー入力やドアスイッチ回路からの信号が入力されると、タイマ時間は再設定され、制御回路への電力遮断は延期される。このタイマの時間値については、調理者がキー入力で調理メニューを設定したり、または調理が終了したことを表示回路で確認するのに十分な長さにしてある。
【０００６】
また、調理者が食品を加熱室内に入れてドアを閉め、キー入力をした後で、加熱を開始させた時には、マイコンはタイマ減算状態から調理状態となる。そしてマイコンは調理終了後にタイマを再設定して減算を始める。なお、調理プログラムに沿ってドアが開閉されるときには、ドアが開けられてから再び閉められても電子レンジの不使用状態が始まったとは判断しないようにしてあり、あくまでも調理プログラムが完遂された後、ないし調理プログラムが取り消された後の所定のタイマ時間内にドア開閉やキー入力がなかった時にのみ制御回路への電力の供給を遮断するようにしている。そして、制御回路への電力の供給を遮断した後に、ドアが開けられると、制御回路への通電が再開される。
【０００７】
このようにして、調理器として使用されていないときに制御回路への通電が行なわれないようにして無駄な電力を消費しないようにするものである。
【０００８】
しかしながら、この電子レンジでは、ドアを閉じなければ従来通りの電力を消費してしまい、待機電力をＯＦＦするためには、必ずドアを閉じておかねばならないという欠点を有していた。電子レンジは調理終了後オーブン庫内が非常に熱くなっているため、ドアを開けた状態で冷却する人も多く、場合によってはドアを開けっ放しにしている人もいるのが実状であるが、この場合は全く省電力にはならなかった。
【０００９】
また、調理の設定及び調理中以外は制御回路に通電する必要はないにもかかわらず、ここでは食品を電子レンジの庫内に入れた後のドアが閉じられた時点でもう通電を開始するので、無駄な電力が消費されることとなった。
【００１０】
さらに、制御回路への電力の供給を行うのに、商用電源との間にトランスを介しているので、不使用時であってもトランスの無負荷損（銅損、鉄損）が２５０ｍＷ程度発生し、省エネルギ上問題があった。
【００１１】
この欠点を解決するものとして、ドアの開閉状態に関わらず、非使用時の電力を低減した家電機器が提案された（例えば、特許文献２参照）。
【００１２】
特許文献２記載の高周波加熱装置は、ドアの開成／閉成があったことを微分で検知したら制御回路を自己保持させ、その後、所定時間経過しても新たにドアの開成／閉成がないとき、または入力がないときは、制御回路への電力供給をＯＦＦさせるようにしている。
【００１３】
このようにすれば、ドアの開成及び閉成の如何に関わらず、ドアを操作して初めて電力開閉手段がＯＮし、マイコン及び周辺回路といった制御手段に電力が供給され、所定時間中に動作が遷移しない場合は、ドアの開成及び閉成の如何に関わらず、制御手段への電力の供給をＯＦＦすることができるようになった。
【００１４】
このようにすれば、ドアを開けっ放しにしていてもやがて制御手段への電力の供給がＯＦＦされるので、省エネルギーとなった。
【００１５】
また、時計機能をもたせた高周波加熱装置は、制御回路を構成するマイコンにより時間を計測するため、常に制御回路に電力を供給する必要があるので、上記特許文献１および２記載のものは、時計機能をもっていなかったが、時計機能を必要とする使用者への配慮から、待機電力を少なくする節電モードと、制御回路への電力供給を継続して、時計表示を行う通常モードとの切り替えをできる高周波加熱装置が提案された（例えば、特許文献３参照）。
【特許文献１】特開平７−２１７９０６号公報
【特許文献２】特開２００２−２２１８１号公報
【特許文献３】特開平１１−５５８５３号公報
【発明の開示】
【発明が解決しようとする課題】
【００１６】
しかしながら、前記従来の加熱調理器では、時計機能を使用している場合は、常に制御回路が動作しているため、時計機能動作中での待機電力を少なくすることが難しいという課題を有していた。
【００１７】
本発明は、前記従来の課題を解決するもので、時計機能と待機電力の低減を両立させた加熱調理器を提供することを目的とする。
【課題を解決するための手段】
【００１８】
前記従来の課題を解決するために、本発明の加熱調理器は、加熱室と、前記加熱室に設けられた開閉ドアと、加熱源と、前記加熱源を制御する主制御回路と、補助制御回路と、前記主制御回路と前記補助制御回路の電源と、前記電源の前記主制御回路への供給を制御する電源制御部とを備え、前記開閉ドアの開閉操作により、前記電源制御部は前記主制御回路への電力供給を行い、前記主制御回路が動作すると前記補助制御回路で計測された情報に基づき、予め設定された報知を行うとともに、所定時間の間、動作が遷移しない場合は、前記主制御回路への電力の供給を停止するようにしたものである。
【００１９】
これによって、時間の計測を行う補助制御回路以外のマイコンを含む回路系への電力供給を削減することにより、必要とする時間の計測機能以外の電力消費を抑えることができる。
【発明の効果】
【００２０】
本発明の加熱調理器は、待機中のように加熱調理器を使用していない時には時間の計測を行う制御回路以外のマイコンを含む回路系への電力供給を削減するすることにより、時計機能と低消費電力化を両立した加熱調理器を提供することができる。
【発明を実施するための最良の形態】
【００２１】
第１の発明は、加熱室と、前記加熱室に設けられた開閉ドアと、加熱源と、前記加熱源を制御する主制御回路と、補助制御回路と、前記主制御回路と前記補助制御回路の電源と、前記電源の前記主制御回路への供給を制御する電源制御部とを備え、前記開閉ドアの開閉操作により、前記電源制御部は前記主制御回路への電力供給を行い、前記主制御回路が動作すると前記補助制御回路で計測された情報に基づき、予め設定された報知を行うとともに、所定時間の間、動作が遷移しない場合は、前記主制御回路への電力の供給を停止するようにしたことにより、調理器の待機時には、時間の計測を行う補助制御回路以外のマイコンを含む回路系への電力供給を削減できるようになり、必要とする時間の計測機能以外の電力消費を抑えることで、より省電力な調理器にすることができる。
【００２２】
第２の発明は、特に、第１の発明の報知手段を加熱調理器本体に備わる表示パネルへの表示により報知を行うようにすることにより、ドアの開閉動作をすることで、調理器が起動すると同時に、計測していた時間または、現在時刻を加熱調理器本体に備え付けられた表示パネルに即座に表示できるようになり、使用者が必要なときに時刻等の情報を即座に知ることができる。
【００２３】
第３の発明は、特に、第１の発明の報知手段を加熱調理器本体に備わる音声発生手段からの音声により報知を行うことにより、視覚以外の聴覚への報知ができるようになり、使用者が必要なときに時刻等の情報を即座に知ることができる。
【００２４】
第４の発明は、特に、第１〜３のいずれか１つの発明の補助制御回路に時刻を計時し記憶する機能をもたせたことにより、調理器の待機状態でも時刻の計測が可能となり、より省電力な時計機能付の加熱調理器を提供することができる。
【００２５】
第５の発明は、特に、第１〜４のいずれか１つの発明の補助制御回路は、タイマーを備え、前記タイマーが前記主制御回路により設定された時間をカウントし終えると前記補助制御回路は、前記主制御回路への電力の供給を開始させる信号を電源制御部に出力するようにすることにより、調理器を自動的に待機状態から動作状態にすることができ、タイマー予約が可能となる。また、調理器の起動したことの報知をあわせて行なうこによって、キッチンタイマー等として利用することができる。
【００２６】
第６の発明は、第１または第５のいずれかの１つの発明の主制御回路に調理情報等の情報が記憶できるメモリーを備え、前記主制御回路に電力が供給され起動すると、前記主制御回路は前記メモリーに記憶させた情報にもとづき調理器を制御させることにより、使用者が、タイマー予約で調理設定及び調理を実行をすることが可能となり、より便利な調理器を提供することができる。
【００２７】
以下、本発明の実施の形態について、図面を参照しながら説明する。なお、この実施の形態によって本発明が限定されるものではない。
【００２８】
（実施の形態１）
図１は、本発明の第１の実施の形態における加熱調理器のドアを開けた状態の正面図を示すものである。図２は、本発明の第１の実施の形態における加熱調理器の開閉ドアの一部を示す正面図を示すものである。
【００２９】
図１において、１は加熱調理器本体、２は加熱室、３は開閉ドアを表している。被加熱物は、加熱調理器本体１に備え付けられた開閉ドア３をあけ、加熱室２に配置し、開閉ドア３を閉じた状態で加熱調理が行われる。
【００３０】
まず最初に、本発明に係る加熱調理器の基本構成と基本動作について説明する。この加熱調理器は、被加熱物を収納する加熱室２に、高周波（マイクロ波）とヒータとの少なくともいずれかを供給して被加熱物を加熱処理する加熱調理器であって、高周波を発生する高周波発生部としてのマグネトロン４ａと、加熱室２を加熱する加熱ヒータ４ｂで構成された加熱源４とを備えている。
【００３１】
加熱室２は、前面開放の箱型の加熱調理器本体１の内部に形成されており、加熱調理器本体１の前面に、加熱室２の被加熱物取出口を開閉する透明窓５付きの開閉ドア３が設けられている。
【００３２】
開閉ドア３には、使用者が、調理の設定を行うキーボード６が構成されている。使用者は、このキーボード６に設けられたさまざまな機能を持ったキーを操作することで、調理の設定を行うことができる。調理の実行は、キーボード６に構成されたスタートキー７を押すことで調理がスタートされる。また、調理の設定状態や進行状態は、開閉ドア３に設けられた表示パネル８で確認することができる。
【００３３】
図３は、本加熱調理器の制御ブロック図である。この制御系は主に、主制御回路９と補助制御回路１０とから構成されている。
【００３４】
主制御回路９は、例えばマイクロコンピュータ（以下、マイコンと称す）を備えてなる制御部として主制御部１１を中心に構成されており、主制御回路９は、主電源ＳＷ１２により電源１３からの電力の供給をオン／オフする。主制御部１１は、ドア検出部１４、入力操作部１５、表示部１６、加熱部１７、音声部１８等を制御している。
【００３５】
ドア検出部１４には、開閉ドア３の開閉と連動して動くドアスイッチ１９が接続されている。また、このドアスイッチ１９は、ドアスイッチ１９の開動作あるいは開から閉あるいは閉から開の状態の遷移を検出して、主制御回路９への電力の供給をオンする主電源ＳＷ１２に接続されている。
【００３６】
音声部１８には、スピーカー２０が接続されており、調理の設定音、終了音、調理ガイダンスといった調理の補助を行う内容の報知を行う。補助制御回路１０は、消費電力が５０ｍＷ以下の低電力回路であって、主制御回路９の電力供給がオフ状態となっていても常に通電されている。このように主電源ＳＷ１２がオフした状態を加熱調理器の待機状態とし、加熱調理機器全体の待機時の消費電力を極力少なく抑えるようにしている。機器全体としても５０ｍＷ以下に抑えることができる。補助制御回路１０は、前述した主制御部１１に配置された例えばマイコンを備えてなる副制御部２１を中心に構成されている。補助制御回路１０は、常時、電源より電力が供給されており、時計計測部２２等を制御している。補助制御回路１０の消費電力をより少なくするために時計機能及びタイマー機能を兼ね備えたマイコンにより構成してもよい。
【００３７】
次に、本発明の特徴部分である報知方法、例えば時刻の計測と報知動作について、図４のフローチャートを用いて説明する。
【００３８】
まず、操作手順としては、加熱しようとする食品等の被加熱物を皿等に載せて加熱室２内に入れ、開閉ドア３を閉める。開閉ドア３と連動して動作するドアスイッチ９の開閉動作により、主電源ＳＷ１２がオンする。主電源ＳＷ１２がオンすると、主制御回路９に電力が供給され、主制御部１１を構成している主マイコンのリセットが解除（ステップ１００、以降はＳ１００と略記する）され、所定のプログラムか開始（Ｓ１０１）される。主マイコンは、このプログラムに従い、主電源ＳＷ１２のオンを継続する保持信号を出力（Ｓ１０２）する。この一連の動作により、加熱調理器１は、待機状態から動作状態へ移る。
【００３９】
次に、主マイコンは内部に配置されたＲＡＭの初期化（Ｓ１０３）を行い、メインのプログラム処理のサイクルに入る。
【００４０】
次に、通常、調理終了後をもしくは調理設定の待ち受け状態でキーボード６の入力及び開閉ドア３の開閉操作等が一定時間行われない場合、主電源ＳＷ１２のオフし待機状態へ移行する。この所定時間Ｔ１が設定（Ｓ１０４）される。
【００４１】
次に、補助制御部１０は、マイコン等で構成された副制御部２１と、時刻の計測ををこなう時計計測部２２で構成されており、この補助制御回路１０には電力が常時供給されており、待機状態でも時間の計測を継続することができるようになっている。この補助制御回路１０は、時計機能（時計機能には、時計及びカレンダー機能がある）のついたワンチップのマイコンで構成することもでき、これにより回路がシンプルになり、回路の消費電力を更に削減することが可能である。
【００４２】
次に、時刻の報知動作について説明する。主マイコンのＲＡＭが初期化（Ｓ１０３）され、所定時間Ｔ１の設定（Ｓ１０４）が終わると、主マイコンは、副制御部２１を構成する補助マイコンと通信を行い、補助制御回路１０で計測をしている時刻情報を主マイコンのＲＡＭに取り込む（Ｓ１０５）。そして、取り込んだ時刻を表示パネル８に表示する（Ｓ１０６）。これにより、使用者は待機状態の加熱調理器において、開閉ドア３の開閉操作により、即座に現在時刻を表示パネル８より認知することができる。
【００４３】
次に、待機状態への遷移及び調理動作へのステップについて説明する。Ｓ１０６で表示パネル８への時刻の報知処理がすむと、開閉ドア３に配置されたキーボード６からのキーの入力処理（Ｓ１０７）を行う。キーの入力がない場合、スタートＳＷ７の入力処理（Ｓ１０８）に移る。Ｓ１０８では、既に調理の設定が行われてスタートＳＷ７の待ち受け状態の場合に、スタートＳＷ７が押されると、調理動作処理（Ｓ１０９）のプログラムへ移る。また、調理の設定が完了していない場合は、スタートＳＷ７を受け付けず、次のステップので主電源ＳＷ１２をオフさせる所定時間Ｔ１が経過したかを判断（Ｓ１１０）する。所定時間Ｔ１が経過している場合は、主電源ＳＷ１２をオフ（Ｓ１１１）させ、待機状態に移行する。また、Ｓ１０７でキーの入力処理がある場合は、主電源ＳＷ１２のオフ時間（所定時間Ｔ１）を再設定（Ｓ１１２）し、使用者が調理設定等の要する時間を確保している。
【００４４】
以上のように、本実施の形態においては時計機能等に特化した補助制御回路を設け、それ以外の制御回路への電源供給をオフすることにより、待機状態の消費電力を極力抑えることができるようになり、例えば従来の待機電力を低減した機能付の高周波加熱装置と同等の待機時の消費電力（５０ｍＷ以下）で時計機能を実現することができる。
【００４５】
また、本実施の形態では待機状態から開閉ドアを開閉操作した場合に表示パネルへ現在時刻を表示することにより、使用者が時刻だけを知りたいときには、わずらわしい操作なしに時刻を知ることができる。
【００４６】
また、本実施の形態の時刻の報知方法を加熱調理器に備わったスピーカーより音声で報知することにより、特に、表示パネルの文字を読み取るのが不自由な高齢者にたいし聴覚への報知手段となり、使い勝手を向上することができる。
【００４７】
（実施の形態２）
図５は、本発明の第２の実施の形態の加熱調理器の制御ブロック図である。前述の第１の実施形態との違いは、主制御回路９に機器の設定に関する変更可能なさまざまな設定情報あるいは、これから行う調理設定といった内容を格納するメモリー２３と、補助制御回路１０に、タイマー２４を設けた点が異なるのみで他は同様であり、そのため、相違する部分のみ説明する。
【００４８】
本実施の形態において、補助制御回路１０にタイマー２４を設けることで、使用者に予約時間の設定が可能となる。そして、待機中にタイマー２４がカウントアップすると補助制御回路１０により主電源ＳＷ１２をオンさせ、主制御回路９を起動させることで、予め使用者がメモリー２３に設定した内容を加熱調理器に予約実行させるものである。
【００４９】
次に、本発明の特徴部分である予約動作について、図６のフローチャートを用いて説明する。
【００５０】
まず、操作手順としては、例えば、炊飯を予約運転する場合は、加熱しようとする食品を加熱室２内に入れ、開閉ドア３を閉める。使用者は、加熱調理器本体１の開閉ドア３に配置されたキーボード６より、炊飯機能を選択し、炊き上げ時間を予約設定する。この予約設定された内容は、主制御回路９のメモリー２３と、補助制御回路１０のタイマー２４に記憶あるいは設定せれる。設定後は、第１の実施形態と同様に、主電源ＳＷ１２が自動オフされ、待機状態となる。この状態から、補助制御回路１０のタイマー２４が、予約時間までのカウントダウンを開始する。タイマー２４がカウントアップすると、副制御部２１は、主電源ＳＷ１２をオンさせる信号を出力し、主制御回路９に電力が供給される。そして、主制御部１１を構成している主マイコンのリセットが解除（Ｓ２００）され、所定のプログラムか開始（Ｓ２０１）される。主マイコンは、このプログラムに従い、主電源ＳＷ１２のオンを継続する保持する信号を出力（Ｓ２０２）する。
【００５１】
次に、主マイコンは内部に配置されたＲＡＭの初期化（Ｓ２０３）を行い、メインのプログラム処理のサイクルに入る。
【００５２】
次に、通常、調理終了後をもしくは調理設定の待ち受け状態でキーボードの入力及び開閉ドア３の開閉操作等が一定時間ない場合、主電源ＳＷ１２のオフし待機状態へ移行する。この所定時間Ｔ１が設定（Ｓ２０４）される。
【００５３】
次に、主マイコンは、メモリー２３に記憶された炊飯の設定情報を読み出す（Ｓ２０５）。読み出した情報が調理の設定情報かを判断し（Ｓ２０６）、調理設定の場合には、主マイコンは調理設定処理（Ｓ２０７）を行う。また、この調理情報が直ぐに実行するか、スタートＳＷの受け付け待ちかを判断（Ｓ２０８）し、実行する場合は、調理制御処理（Ｓ２０９）へと移る。この一連のステップで、予約調理が実行される。
【００５４】
次に、予約設定の流れを、図６のフローチャートを用いて説明する。
【００５５】
調理設定がなされていない状態では、Ｓ２０６からＳ２１０へ進み、時計機能がある場合には、補助制御回路１０より時刻情報を読み込み（Ｓ２１０）、表示パネル８に時刻表示を行う（Ｓ２１１）。
【００５６】
次に、使用者がキーボード６から入力する調理設定の入力処理（Ｓ２１２）をおこなう。キーの入力がない場合、スタートＳＷ７の入力処理（Ｓ２１３）に移る。Ｓ２１３では、既に調理の設定が行われてスタートＳＷ７の待ち受け状態の場合に、スタートＳＷ７が押されると、調理動作処理（Ｓ２０９）のプログラムへ移る。また、調理の設定が完了していない場合は、スタートＳＷ７を受け付けず、次のステップので主電源ＳＷ１２をオフさせる所定時間Ｔ１が経過したかを判断（Ｓ２１４）する。所定時間Ｔ１が経過している場合は、使用者が設定した設定情報を主マイコンのＲＡＭからメモリー２３に転送（Ｓ２１５）した後に、主電源ＳＷ１２をオフ（Ｓ２１６）させ、待機状態に移行する。また、Ｓ２１２でキーの入力処理がある場合は、主電源ＳＷ１２のオフ時間（所定時間Ｔ１）を再設定（Ｓ２１７）し、使用者が調理設定等の要する時間を確保している。
【００５７】
次に、キッチンタイマーとしての機能について、図６のフローチャートを用いて説明する。
【００５８】
この機能は、前述した予約動作についての説明とほぼ同一で、調理の実行の判定（Ｓ２０８）がＮｏとなり、Ｓ２１３に移行するところが異なる。このキッチンタイマー機能は、タイマーの設定時間が主電源ＳＷ１２がオフする所定時間Ｔ１を超える場合に特に有効となる。長時間の時間計測において、主制御回路９への電力供給をオフさせるため、省電力化を図ることができる。
【００５９】
そして、使用者が予め設定したカウント時間がカウントアップすると、補助制御回路１０の副制御部２１は、主電源ＳＷ１２をオンさせる信号を出力し、主制御回路９に電力が供給される。そして、主制御部１１を構成している主マイコンのリセットが解除（Ｓ２００）され、所定のプログラムか開始（Ｓ２０１）される。主マイコンは、このプログラムに従い、主電源ＳＷ１２のオンを継続する保持する信号を出力（Ｓ２０２）する。
次に、主マイコンは主マイコン内に配置されたＲＡＭの初期化（Ｓ２０３）を行い、メインのプログラム処理のサイクルに入る。
【００６０】
次に、通常、調理終了後をもしくは調理設定の待ち受け状態でキーボードの入力及び開閉ドア３の開閉操作等が一定時間ない場合、主電源ＳＷ１２のオフし待機状態へ移行する。この所定時間Ｔ１が設定（Ｓ２０４）される。
【００６１】
次に、主マイコンは、メモリー２３に記憶された情報を読み出しを行う（Ｓ２０５）。読み出した情報が調理の設定情報かを判断し（Ｓ２０６）、調理設定でない場合（例えばキッチンタイマー設定）には、Ｓ２１０で補助制御回路からの現在時刻の読み込みと表示パネルへの状態表示（Ｓ２１１）を行う。これにより、タイマー設定した時間が経過したことを表示パネルにより使用者に報知することができる。また、表示パネルによる報知だけでは、使用者が認知できない場合があるので、加熱調理器本体１に備えつけられたスピーカー２０で報知すればより使い易くなることは言うまでもない。
【００６２】
以上のように、本実施の形態においてはタイマー機能等に特化した補助制御回路を設け、それ以外の制御回路への電源供給をオフすることにより、待機状態の消費電力を極力抑えることができるようになり、例えば従来の待機電力を低減した機能付の高周波加熱装置と同等の待機時の消費電力（５０ｍＷ以下）でタイマー予約機能を実現することができる。
【産業上の利用可能性】
【００６３】
以上のように、本発明の加熱調理器は、機器の待機中のように機器を使用していない時に、必要な時間の計測を行う制御回路以外のマイコンを含む回路系への電力供給を削減するとともに、機器が待機状態から動作状態に復帰したときに、時刻表示等を機器に備わった表示パネル、音声発生手段とうで報知する一連の動作を行うことのより、時計機能を持った特に待機時の消費電力を少なくする必要のある家電機器にも適用できる。
【図面の簡単な説明】
【００６４】
【図１】本発明の実施の形態１における加熱調理器のドアを開けた状態の正面図
【図２】本発明の実施の形態１における加熱調理器の開閉ドアの一部を示す正面図
【図３】本発明の実施の形態１における加熱調理器の制御ブロック図
【図４】本発明の実施の形態１における加熱調理器の基本動作を説明するフローチャート
【図５】本発明の実施の形態２における加熱調理器の制御ブロック図
【図６】本発明の実施の形態２における加熱調理器の基本動作を説明するフローチャート
【符号の説明】
【００６５】
１  加熱調理器本体
２  加熱室
３  開閉ドア
４ａ  ヒータ（加熱源）
４ｂ  マグネトロン（加熱源）
８  表示パネル
９  主制御回路
１０  補助制御回路
１２  主電源ＳＷ（電源制御部）
１３  電源
２０  スピーカー（音声発生手段）
２３  メモリー
２４  タイマー
【図１】
2006112692.tif 000003
【図２】
2006112692.tif 000004
【図３】
2006112692.tif 000005
【図４】
2006112692.tif 000006
【図５】
2006112692.tif 000007
【図６】
2006112692.tif 000008